(57)【要約】【課題】スライド式のモバイル端末機器に極細同軸ケーブルを導入することができ、スライド屈曲に対して優れた耐性を有する電子機器とその電子機器配線用ハーネスの提供。【解決手段】回路を有する複数の筐体がスライド可能に接合され、これらの筐体内の回路同士を電子機器配線用ハーネスによって電気的に接続してなる電子機器であって、前記電子機器配線用ハーネスは、多数本の電線を平行に並べ、３００〜２７００ＭＰａのヤング率を有する筒状のジャケット材によって一括被覆してなるフラット型ケーブルが複数枚積層されたケーブル積層部を有し、該ケーブル積層部が筐体のスライド面上にＵ字形に配線されたことを特徴とする電子機器。【選択図】図１
2008263264.tif 000002
【特許請求の範囲】
【請求項１】
回路を有する複数の筐体がスライド可能に接合され、これらの筐体内の回路同士を電子機器配線用ハーネスによって電気的に接続してなる電子機器であって、
前記電子機器配線用ハーネスは、多数本の電線を平行に並べ、３００〜２７００ＭＰａのヤング率を有する筒状のジャケット材によって一括被覆してなるフラット型ケーブルが複数枚積層されたケーブル積層部を有し、該ケーブル積層部が筐体のスライド面上にＵ字形に配線されたことを特徴とする電子機器。
【請求項２】
前記電線は、少なくとも１本が極細同軸ケーブルであることを特徴とする請求項１に記載の電子機器。
【請求項３】
多数本の電線を平行に並べ、３００〜２７００ＭＰａのヤング率を有する筒状のジャケット材によって一括被覆されたフラット型ケーブルが複数枚積層されたケーブル積層部を有し、請求項１に記載の電子機器に配線材として用いられることを特徴とする電子機器配線用ハーネス。
【請求項４】
前記電線は、少なくとも１本が極細同軸ケーブルであることを特徴とする請求項３に記載の電子機器配線用ハーネス。
【発明の詳細な説明】
【技術分野】
【０００１】
本発明は、回路を有する複数の筐体がスライド可能に接合され、これらの筐体内の回路同士を極細同軸ケーブル等の電線によって電気的に接続してなる電子機器、特に、携帯電話、ＰＤＡ（Personal Digital Assistants）などのモバイル端末機器、および該電子機器の筐体間配線に用いるハーネスに関する。
【背景技術】
【０００２】
近年、携帯電話に代表される電子機器の小型・軽量化・多機能化は急速に進展している。そのため、数多くのＩＣチップが搭載され、伝送容量が大きくなり、伝送スピードが高速化してきており、特に伝送周波数が高周波帯域になってきている。それに伴って機器内の電気信号ノイズも増大するため、電気信号の伝送媒体には電磁波のシールド（遮蔽）特性に優れたものが要求されている。このため、機器内の内部配線材にＦＰＣ（Flexible Printed Circuit）に代わって、電磁波のシールド（遮蔽）特性に優れた極細同軸ケーブルをアッセンブリしたものが導入されている。小型の電子機器、特に携帯電話等のモバイル端末機器において、図５（ａ）に示すクラムシェルタイプ、図５（ｂ）に示すジャックナイフタイプ、図５（ｃ）に示す２軸タイプでは、既に極細同軸ケーブルをアッセンブリしたものが導入されている。
【０００３】
しかしながら、図５（ｄ）に示すスライドタイプのモバイル端末機器に関しては、いまだにＦＰＣが使用されており、極細同軸ケーブルをアッセンブリしたものは導入されていない。これは、スライドタイプの機械的構造に起因しているためであり、従来は極細同軸ケーブルの使用が難しいとされてきた。図６は、スライドタイプの電子機器１の筐体間配線材としてＦＰＣ４を適用した場合を例示する図である。この電子機器１は、第１の筐体２と、この第１の筐体２にスライド可能に接合された第２の筐体３とのそれぞれの回路を、ＦＰＣ４により電気的に接続した構造になっている。
【０００４】
従って、スライドタイプのモバイル端末機器について、高機能化・多機能化を進めていく上では、他の構造のものと同様に極細同軸ケーブルをアッセンブリしたものを導入することが必須である。要するに、スライドタイプのモバイル端末機器について、極細同軸ケーブルをアッセンブリしたものを導入することが望まれていたわけである。例えば、極細同軸ケーブルをモバイル端末機器に導入した事例として、特許文献１，２に開示された技術が提案されている。
【０００５】
すなわち、極細同軸ケーブルをモバイル端末機器に用いることは公知であり、既にそのような機器が上市されていることも公知である。しかしながら、特許文献１，２にも記載されているが、極細同軸ケーブルが用いられているのは、折り畳み式（クラムシェルタイプ）、開閉＋捻回（２軸タイプ）などであり、スライドタイプに適用した事例は見られない。一方、スライドタイプのモバイル端末機器の筐体間接続手段としては、ＦＰＣが用いられていることが公知である。例えば、特許文献３〜５に開示された技術が提案されている。
【０００６】
モバイル端末機器、特に携帯電話について、代表的な形状・構造・機械的な動作について、図５に例示する。開閉構造を有するクラムシェルタイプ（図５（ａ）参照）、回転構造を有するジャックナイフタイプ（図５（ｂ）参照）、ツイストタイプといわれる開閉と回転が行える２軸構造（図５（ｃ）参照）、及び水平移動構造を有するスライドタイプ（図５（ｄ）参照）などである。
スライドタイプの構造に求められている特性として、高さ制限のある空間内での水平屈曲がある。代表的には３ｍｍのスペースにて繰り返しスライドに対応できる必要がある。従来は、この構造に対して、図６に示すように、薄くてフレキシブル特性を有するプリント配線板であるＦＰＣしか対応できなかった。これは特許文献３〜５にも同様に記載されている。
また従来、極細同軸ケーブルは、スライドタイプの構造に向かないとされてきた。それは数十本の極細同軸ケーブルを束ねてしまった場合、スライドタイプの構造に求められる特性として、高さ制限（例えば３ｍｍ）の中では、屈曲スペースとして不十分であり、繰り返し屈曲特性を満足することができないためである。
逆に、ケーブルを束にまとめる方式でも屈曲スペースが確保されている構造（クラムシェルタイプやジャックナイフタイプ）の場合は、充分な特性が確保されているので、実用化されているわけである。これは、特許文献１，２に示されている。
【特許文献１】特開２００６−２８６２９９号公報
【特許文献２】特開２００６−２０２６４１号公報
【特許文献３】特開２００６−１２８８０８号公報
【特許文献４】特開２００６−２１６９０８号公報
【特許文献５】特許第３７２３５３９号公報
【発明の開示】
【発明が解決しようとする課題】
【０００７】
一般に、携帯電話に代表されるモバイル用電子機器にて使用される極細同軸ケーブルは、型番では、ＡＷＧ４６からＡＷＧ４２といわれるタイプであり、そのケーブル外径は、０．２ｍｍ〜０．３ｍｍ程度である。さらに、一般的なスライドタイプ構造に使用される屈曲スペースとしては３ｍｍ程度の高さであり、１０万回以上のスライド回数（耐屈曲回数）が求められている。
しかし、特に何の工夫もせずに、前述の極細同軸ケーブルを用いて高さ３ｍｍのスペースに折り曲げた場合には、ケーブルの曲がり癖がついてしまうという問題が発生し、繰り返しのスライド回数が前記目標値に達しないものとなってしまう。
また、本発明者らが検討した結果、前記極細ケーブルを束ねた場合、多くの（例えば１０万回以上）スライド回数（耐屈曲回数）を満足するための屈曲半径は、Ｒ＝５ｍｍ以上必要であり、要求されるスペース（高さ３ｍｍ）では、屈曲特性を満足させることは困難である。
【０００８】
本発明は、前記事情に鑑みてなされ、スライドタイプのモバイル端末機器に極細同軸ケーブルを導入することができ、スライド屈曲に対して優れた耐性を有する電子機器とその電子機器配線用ハーネスの提供を目的とする。
【課題を解決するための手段】
【０００９】
前記目的を達成するため、本発明は、回路を有する複数の筐体がスライド可能に接合され、これらの筐体内の回路同士を電子機器配線用ハーネスによって電気的に接続してなる電子機器であって、前記電子機器配線用ハーネスは、多数本の電線を平行に並べ、３００〜２７００ＭＰａのヤング率を有する筒状のジャケット材によって一括被覆してなるフラット型ケーブルが複数枚積層されたケーブル積層部を有し、該ケーブル積層部が筐体のスライド面上にＵ字形に配線されたことを特徴とする電子機器を提供する。
【００１０】
本発明の電子機器において、前記電線は、少なくとも１本が極細同軸ケーブルであることが好ましい。
【００１１】
また本発明は、多数本の電線を平行に並べ、３００〜２７００ＭＰａのヤング率を有する筒状のジャケット材によって一括被覆されたフラット型ケーブルが複数枚積層されたケーブル積層部を有し、本発明の電子機器に配線材として用いられることを特徴とする電子機器配線用ハーネスを提供する。
【００１２】
本発明の電子機器配線用ハーネスにおいて、前記電線は、少なくとも１本が極細同軸ケーブルであることが好ましい。
【発明の効果】
【００１３】
本発明の電子機器は、多数本の電線を平行に並べ、３００〜２７００ＭＰａのヤング率を有する筒状のジャケット材によって一括被覆してなるフラット型ケーブルが複数枚積層されたケーブル積層部を有する電子機器配線用ハーネスを配線材として用い、そのケーブル積層部を筐体のスライド面上にＵ字形に配線してなるものなので、スライドタイプの電子機器において、高さ３ｍｍ以下のスペースで極細同軸ケーブルアセンブリを可能とした電子機器を提供することができる。
本発明の手法を用いることにより、スライドタイプの電子機器において、極細同軸ケーブルアセンブリが可能となるので、従来のＦＰＣを筐体間配線材として用いたものと比べ、伝送特性や耐ノイズ特性を向上させることができる。
本発明の電子機器配線用ハーネスは、多数本の電線を平行に並べ、３００〜２７００ＭＰａのヤング率を有する筒状のジャケット材によって一括被覆してなるフラット型ケーブルが複数枚積層されたケーブル積層部を有する構成としたことで、フラット型ケーブルの耐屈曲性が良好となり、スライドタイプの電子機器において求められている１０万回以上の耐屈曲回数を満たすことができる。
【発明を実施するための最良の形態】
【００１４】
以下、図面を参照して本発明の実施形態を説明する。
図１は、本発明の電子機器の一実施形態を示す図であり、本実施形態では、電子機器として、携帯電話などのモバイル端末機器に本発明を適用した場合を例示している。図１（ａ）は収納時、（ｂ）は引き出し時の状態をそれぞれ示している。
【００１５】
本実施形態の電子機器１１は、回路を有する第１の筐体１２及び第２の筐体１３がスライド可能に接合され、これらの筐体１２，１３内の回路同士を電子機器配線用ハーネス１４（以下、ハーネスと記す。）によって電気的に接続してなり、このハーネス１４は、多数本の電線を平行に並べ、３００〜２７００ＭＰａのヤング率を有する筒状のジャケット材によって一括被覆してなるフラット型ケーブルが複数枚積層されたケーブル積層部１５を有し、該ケーブル積層部１５が筐体のスライド面上にＵ字形に配線されたことを特徴としている。
【００１６】
ここで、Ｕ字形の配線とは、図６に示すＦＰＣ４のように所定高さ（例えば高さ３ｍｍ）の空間内で屈曲するのではなく、図１に示すハーネス１４のように、横方向にＲを取るようにした配線構造である。このような配線構造を採用したことによって、本実施形態の電子機器１１は、各筐体１２，１３のスライド動作によって生じる屈曲が、所定高さの空間内での屈曲（図６参照）の場合と比べ、より大きな曲率半径で屈曲動作させることができる。
【００１７】
本実施形態の電子機器１１は、ケーブル積層部１５を筐体のスライド面上にＵ字形に配線してなるものなので、スライドタイプの電子機器１１において、高さ３ｍｍ以下のスペースで極細同軸ケーブルアセンブリが可能である。
また本実施形態の電子機器１１は、極細同軸ケーブルアセンブリが可能であることから、従来のＦＰＣを筐体間配線材として用いた電子機器と比べ、伝送特性や耐ノイズ特性を向上させることができる。
【００１８】
本発明で用いるハーネス１４は、３００〜２７００ＭＰａのヤング率を有する筒状のジャケット材によって一括被覆してなるフラット型ケーブルが複数枚積層されたケーブル積層部１５を有していればよく、その他の構成要素については特に制限されないが、通常は、各フラット型ケーブルの両端に接続用のコネクタが設けられた構造になっている。また、各筐体１２，１３には、ハーネス１４のコネクタと接続可能な接続部を適所に有している構成になっている。
【００１９】
図２は、前記ハーネス１４を構成するフラット型ケーブルの構造の一例を示す断面図である。本例のフラット型ケーブル１６は、４本の極細同軸ケーブル１７を平行に並べ、３００〜２７００ＭＰａのヤング率を有する筒状のジャケット材１８によって一括被覆した構成になっている。ここで、フラット型とは、複数本の極細同軸ケーブル１７を平行に並べ、筒状のジャケット材１８にて包んだ状態にしたものである。従って、極細同軸ケーブル同士の隙間全てにジャケット材が充填された「テープ型」とは異なり、図２に示すように、極細同軸ケーブル１７とジャケット材１８との間には空間が存在する。
【００２０】
本例で用いた極細同軸ケーブル１７は、中心導体と、該中心導体を被覆する内側絶縁層と、該内側絶縁層に巻き付けられた外部導体と、該外部導体を覆う外皮とからなっている。なお、フラット型ケーブル１６の構造は、本例に限定されず、２本以上の極細同軸ケーブル１７又は極細同軸ケーブル以外の電線をジャケット材１８で一括被覆したものであればよく、さらにケーブルや電線の組み合わせの異なる多種類のフラット型ケーブルを積層して用いることもできる。
【００２１】
このフラット型ケーブル１６は、４本の極細同軸ケーブル１７を平行に並べ、押し出し方式による一括ジャケットを施すことによって作製される。
【００２２】
図３及び図４は、フラット型ケーブル１６を複数枚積み重ねてなるケーブル積層部１５を所定の曲率半径Ｒで曲げた状態を示している。このケーブル積層部１５の厚みａ、幅ｂ及び曲率半径Ｒは、使用する電子機器における収容スペースの寸法等に応じて適宜設定することができる。
【００２３】
本発明のハーネス１４に用いるフラット型ケーブル１６は、ジャケット材１８として、３００〜２７００ＭＰａの範囲のヤング率を有する合成樹脂材料を用いている。この合成樹脂材料としては、ヤング率が前記範囲内であればよく、特に限定されない。このジャケット材１８のヤング率が３００ＭＰａ未満であると、フラット型ケーブル１６の剛性が低くなり、屈曲時に応力が極細同軸ケーブル１７の中心導体に加わり、数万回程度又はそれ以下の屈曲回数で破断してしまう。ジャケット材１８のヤング率が２７００ＭＰａ以上であると、繰り返し屈曲による疲労によって、ジャケット材１８自体が破断してしまい、目標の１０万回の耐屈曲回数を達成することができない。
【００２４】
本発明のハーネス１４は、多数本の電線を平行に並べ、３００〜２７００ＭＰａのヤング率を有する筒状のジャケット材１８によって一括被覆してなるフラット型ケーブル１６が複数枚積層されたケーブル積層部１５を有する構成としたものなので、フラット型ケーブル１６の耐屈曲性が良好となり、スライドタイプの電子機器において求められている１０万回以上の耐屈曲回数を満たすことができる。
以下、実施例により本発明の効果を実証する。
【実施例】
【００２５】
＜実施例１＞
・極細同軸ケーブル；型番：ＡＷＧ４６、外径：０．２４ｍｍ。
ＡＷＧとは、米国ワイヤーゲージ（American Wire Gauge）の略称であり、同軸ケーブルの業界にて広く用いられている規格である。以下に示す要領で作製した。
極細同軸ケーブルは、直径２５μｍの銅合金線を３本撚って中心導体とし、その外面をフッ素樹脂で被覆して絶縁層とし、その外周に２５μｍの銅合金線を横巻きで巻き付けて外部導体とし、その外側にフッ素樹脂を外皮とし、外径が約２４０μｍとなるように作製した。
【００２６】
・ジャケット材；３Ｍ社製、商品名；ダイニオンＰＦＡ（組成；テトラフルオロエチレンとパープルオロアルコキシエチレンとの共重合体からなる熱可塑性フッ素樹脂）。ヤング率；５００ＭＰａのグレードを使用。
上述の極細同軸ケーブルを４心と、ジャケット材を用いてフラット化を行い、図２に示すフラット型ケーブル（フラット型４心極細同軸ケーブル）を作製した。作製後の寸法は、幅：１．２ｍｍ、厚さ：０．３ｍｍである。
ここでいうフラット化とは、テープ化とは異なるものである。フラット化は、断面円形の極細同軸ケーブル数本を平行に並べて、筒状のジャケット材にて包んだ状態にしたものである。従って、すべての箇所に充填されたテープ化とは異なり、断面円形の極細同軸ケーブルとジャケット材との間には空間が存在する。
【００２７】
・ケーブルの曲がり部に前記フラット型ケーブルを縦に配置し、また１０本のフラット型ケーブルを積層した４０芯のハーネスにおいて、ケーブル積層部は３ｍｍ幅に束ねることができた。そして、一般的なスライドタイプ構造に使用される屈曲スペースとしては、高さ３ｍｍであるところ、本実施例のハーネスでは、フラット化したときのケーブル幅（図３中のｂ）に相当するので、これが１．２ｍｍになるため、十分なクリアランスがあり、屈曲特性を発揮できる。
【００２８】
・前述した通り、極細同軸ケーブルでは、屈曲半径がＲ＝５ｍｍ程度が必要である。これはフラット化した場合でもほぼ同様である。そのため、本実施例のハーネスは、ケーブル積層部を図３及び図４に示すように筐体のスライド面上にＵ字形に配線した。
これにより、高さ３ｍｍ、屈折半径Ｒ＝５ｍｍでの配線を可能とした。
【００２９】
＜屈曲試験＞
図７は、作製したハーネスの耐屈曲回数を測定するための屈曲試験方法の一例を説明する図であり、図７（ａ）は屈曲試験装置の平面図、（ｂ）は同じ装置の側面図である。図７中、符号２０は第１の試験台、２１は第２の試験台、２２は試験ハーネス、２３はケーブル積層部、２４及び２５はコネクタである。
【００３０】
この屈曲試験においては、まず端末を加工して、中心導体とシールドを全心シリーズに接続する。次に、図７に示すように、屈曲試験装置の決められた箇所に試験ハーネスを、ケーブル積層部の一部がＵ字形になるように配置する。次に、屈曲動作を行うために、スライドする試料台に試験ハーネスを固定する。シリーズに繋がっている導体の両端（図示せず）を、導通を見るための測定用端子（図示せず）に接続し、導通があることを確認する。試験条件は、ストローク量が４０ｍｍ、１分間に３０回の往復とした。
【００３１】
実施例１のハーネスについて、４心タイプを１０ヶ積層し、４０心として試験に使用した。
導通状態のまま、前記の試験条件を実施し、導通が取れなくなるまでの回数を測定し、耐屈曲回数を調べた。試料数はＮ＝５０個であり、平均値、最大値、最小値を求めた。但し、スライド回数が１０万回以上でも破断せず導通が取れていた場合は、耐屈曲回数１０万回以上、もしくは、＞１０万回、で示すものとする。
【００３２】
本発明者らは、鋭意検討の結果、ジャケット材の剛性が、ハーネスの繰り返し屈曲特性に関係していることを見い出した。具体的には、ジャケット材のヤング率を３００ＭＰａ〜２７００ＭＰａの範囲とすることによって、目標の耐屈曲回数１０万回以上が達成される。この点について以下の実施例により詳細に説明する。
【００３３】
＜実施例２＞
ジャケット材の種類、及びそのヤング率を変えたこと以外は、実施例１と同じとした。樹脂種やグレートの違いによって、Ａ、Ｂ、Ｃ、Ｄ、Ｅ、Ｆ、Ｇ、Ｈ、Ｉの９種を使用した。但し、すべて上市されている汎用品である。
Ａ；高密度ポリエチレン（ＨＤＰＥ）、ヤング率；１００ＭＰａ。
Ｂ；アクリトニトリル・ブタジエン・スチレン共重合体（ＡＢＳ）ヤング率；２００ＭＰａ。
Ｃ；テトラフルオロエチレンとパーフルオロアルコキシエチレンとの共重合体（ＰＦＡ）、ヤング率；３００ＭＰａ（実施例１とはグレードが異なる）。
Ｄ；低密度ポリエチレン（ＬＤＰＥ）、ヤング率；１０００ＭＰａ。
Ｅ；ポリテトラフルオロエチレン（ＰＴＦＥ）、ヤング率；１２００ＭＰａ。
Ｆ；ポリビニリデンフルオダイド（ＰＶＤＦ）、ヤング率；１３００ＭＰａ。
Ｇ；ナイロン６、ヤング率；２２００ＭＰａ。
Ｈ；硬質塩化ビニル、ヤング率２７００ＭＰａ。
Ｉ；ポリスチレン（ＰＳ）、ヤング率３２００ＭＰａ。
【００３４】
実施例２の試料について、前記＜屈曲試験＞と同じ条件、試料数で屈曲試験を行った。結果を表１に記す。
【００３５】
【表１】
2008263264.tif 000003
【００３６】
表１に記した結果より、スライドタイプの屈曲では、ハーネスの耐屈曲回数がジャケット材のヤング率に依存しているのがわかる。ヤング率の小さいものをジャケット材として用いた場合、フラット型ケーブルの剛性が低いため、屈曲試験での応力が極細同軸ケーブルの中心導体に加わり、数万回程度で破断した。
試験の結果、１０万回以上の耐屈曲回数を達成するためには、少なくとも３００ＭＰａ以上のヤング率の材料をジャケット材として使用する必要がある。
【００３７】
また、実施例２の樹脂種Ｉでは、２〜３万回程度で破断しているが、この場合は中心導体が先に破断したわけではない。最初に破断したのは、ジャケット材であり、その直後に極細同軸ケーブルが露出し、最終的に中心導体の破断に至ったものである。従って、フラット型ケーブルのジャケット材の剛性が高すぎる場合は、繰り返し屈曲による疲労によって、ジャケット材自体が破断してしまうことになる。よって、ジャケット材は剛性だけでなく、ある程度の弾性が必要である。
すなわち、スライドタイプの屈曲試験における繰り返し屈曲の耐性には、多くても２７００ＭＰａ以下のヤング率の材料をジャケット材として使用する必要がある。
【００３８】
なお、本実施例では４心のフラット型ケーブルを用いているが、２心以上あればフラット化することは可能であるので、特に極細同軸ケーブルの心数を制限するものではない。
また、ジャケット材の樹脂種は、本実施例に限定されず、前述したヤング率の範囲内にある別種のポリマー材料を用いることも可能である。一般に、ポリマー材料は材料種（組成）が同じであっても、分子量や結晶化度などの違いによって、ヤング率などをはじめとする力学特性が異なることが知られている。
【図面の簡単な説明】
【００３９】
【図１】本発明の電子機器の一実施形態を示す図であり、（ａ）は収納時、（ｂ）は引き出し時におけるケーブル積層部の状態を示す平面図である。
【図２】本発明のハーネスに用いるフラット型ケーブルの一例を示す断面図である。
【図３】本発明のハーネスのケーブル積層部の一例を示す斜視図である。
【図４】本発明のハーネスのケーブル積層部の一例を示す平面図である。
【図５】電子機器の一例として開閉手法の異なる各種の携帯電話を例示する斜視図である。
【図６】筐体間配線材としてＦＰＣを用いた従来例を示す断面図である。
【図７】本発明の実施例において耐屈曲回数の測定に用いた試験装置の概要を示し、（ａ）は試験装置の平面図、（ｂ）は側面図である。
【符号の説明】
【００４０】
１１…電子機器、１２…第１の筐体、１３…第２の筐体、１４…ハーネス（電子機器配線用ハーネス）、１５…ケーブル積層部、１６…フラット型ケーブル、１７…極細同軸ケーブル、１８…ジャケット材。
【図１】
2008263264.tif 000004
【図２】
2008263264.tif 000005
【図３】
2008263264.tif 000006
【図４】
2008263264.tif 000007
【図５】
2008263264.tif 000008
【図６】
2008263264.tif 000009
【図７】
2008263264.tif 000010